(57)【特許請求の範囲】
【請求項１】
掘起した根菜類（イ）を前方下部から後方上部へ挾持して移送する移送装置２８の後側に該根菜類（イ）を引継ぎ挾持して移送する首揃移送装置３３と、該首揃移送装置３３上側に葉排出移送装置３５とを設けた根菜類収穫機において、該葉排出移送装置３５の移送始端部近傍の下側には該根菜類（イ）の葉部（ロ）の所定位置を切断する第１葉切断装置１１と、該首揃移送装置３３の移送終端部近傍の下側には該葉部（ロ）の根元部を切断する第２葉切断装置１２とを設けたことを特徴とする根菜類収穫機の葉部切断装置。
【発明の詳細な説明】
【０００１】
【発明の属する技術分野】
この発明は、根菜類を後方上部へ挾持移送する移送装置の後側に、該根菜類を引継ぎ挾持移送する首揃移送装置と、該首揃移送装置の上側に葉排出移送装置とを設け、該葉排出移送装置の移送始端部近傍の下側には、該根菜類の葉部の所定位置を切断する第１葉切断装置と、該首揃移送装置の移送終端部近傍の下側には、該葉部の根元部を切断する第２葉切断装置とを設けた技術であり、根菜類収穫機の葉部切断装置に利用できる。
【０００２】
【従来の技術】
根菜類が、例えば、人参であったとすると、この人参を収穫作業するときは、根菜類収穫機を圃場内を走行させて、掘起した人参の葉部は移送装置で挾持して後方上部へ移送され、この移送途中で首揃移送装置により、この人参の葉部は引継ぎされて挾持移送されながらこの人参は首揃えされ、この首揃移送装置の移送終端部近傍に設けた葉切断装置により、この人参の葉部の根元部が切断され、切断済み葉部は該首揃移送装置で終端部まで移送され、この終端部からこの切断済み葉部を圃場へ排出する。
【０００３】
【発明が解決しようとする課題】
首揃移送装置の移送終端部側で挾持移送される切断済みの人参の葉部が長かったり、又、葉部の移送みだれが発生すると、この葉部が該首揃移送装置の移送途中で詰まりが発生して、移送されないことがあったが、この発生により、この問題点を解消しようとするものである。
【０００４】
【課題を解決するための手段】
このために、この発明は、掘起した根菜類（イ）を前方下部から後方上部へ挾持して移送する移送装置２８の後側に該根菜類（イ）を引継ぎ挾持して移送する首揃移送装置３３と、該首揃移送装置３３上側に葉排出移送装置３５とを設けた根菜類収穫機において、該葉排出移送装置３５の移送始端部近傍の下側には該根菜類（イ）の葉部（ロ）の所定位置を切断する第１葉切断装置１１と、該首揃移送装置３３の移送終端部近傍の下側には該葉部（ロ）の根元部を切断する第２葉切断装置１２とを設けたことを特徴とする根菜類収穫機の葉部切断装置の構成とする。
【０００５】
【発明の作用】
人参（イ）を収穫作業するときは、根菜類収穫機を圃場内を走行させて、掘起した人参（イ）の葉部（ロ）は移送装置２８で挾持して後方上部へ移送され、この移送途中で首揃移送装置３３により、この人参（イ）の葉部（ロ）は引継ぎされて挾持移送しながらこの人参（イ）は首揃えされ、この首揃移送装置３３の上側に設けた葉排出移送装置３５の移送始端部近傍の下側に設けた第１葉切断装置１１により、該首揃移送装置３３で挾持移送中の人参（イ）の葉部（ロ）の所定位置が切断され、この第１回目に切断された第１回目切断済み葉部（ロ）は、該葉排出移送装置３５へ供給され、移送終端部で移送され、この終端部から圃場へ排出する。
【０００６】
更に該首揃移送装置３３で挾持移送中の人参（イ）の葉部（ロ）の根元部は、この首揃移送装置３３の移送終端部近傍の下側に設けた第２葉切断装置１２によって切断され、この第２回目に切断された第２回切断済み葉部（ロ）は、該首揃移送装置３３で移送終端部まで移送され、この終端部から圃場へ排出する。
【０００７】
【発明の効果】
首揃移送装置３３で挾持移送する人参（イ）の葉部（ロ）の上部の所定位置と根元部との両者が順次切断されることにより、葉部（ロ）が長い人参であっても、上部が始めに切断されることにより、移送のみだれがなくなり、この首揃移送装置３３の移送途中で葉部（ロ）の詰りの発生がなくなり、このために、移送、及び排出が良好となり、作業能率を向上させることができる。
【０００８】
【発明の実施の形態】
以下、本発明の一実施例を図面に基づいて説明する。
図例は、根菜類（イ）が、例えば、人参（イ）であったとすると、この人参（イ）は圃場から掘起され、この掘起した人参（イ）を移送しながら葉部、及び根部の下方部の所定位置を切断して一時貯留等を行う根菜類収穫機１を図示して説明すると共に、葉部切断装置を図示して説明する。
【０００９】
前記根菜類収穫機１は、走行車両２の一方側の側部外側には、収穫用作業装置３を設け、この収穫用作業装置３は前部に引起装置４、掘起装置５、及び後部の根菜搬送装置６等よりなる構成である。
前記走行車両２の車台７の下部には、土壌面を走行する左右一対の走行クローラ７ａを張設し、該車台７上部の一方側には、走行操作、及び各種制御操作等を行う操作装置８、及び作業者が搭乗して各種操作等を行う操縦席９等を設け、この操縦席９の下部には、原動機（エンジン）７ｂ等を搭載している。この原動機７ｂで走行ギヤケース７ｃ内の伝動機構７ｄを介して該走行クローラ７ａ，７ａを回転駆動する構成である。
【００１０】
前記車台７上部の後方部には、後述する第１葉切断装置１１、及び第２葉切断装置１２で人参（イ）の葉部（ロ）から所定高さの所定位置、及び根元部が切断され、又、後述する人参下部切断装置４７で根部の下方部の所定位置が切断され、これら両者が切断された切断済み人参（イ）の供給を受けて、操縦席９側の横方向へ向け回転駆動する移送ベルト１３ａ等を張設してなる第１移送コンベア１３、及び回転駆動する移送ベルト等を張設してなる第２移送コンベア１４を設け、これら第１・第２移送コンベア１３，１４は移送終端部へ向けて上り傾斜させて設けている。該第２移送コンベア１４の移送終端部の下側で該車台７上側には、両者を介して切断済みの人参（イ）の供給を受け、収納して一時貯留する収納箱１５を載置した構成である。
【００１１】
前記車台７後部の左側には、上方へ突出する断面形状がコ字形状の支持板１６を設け、この支持板１６の上部には、伝動機構１７ａを内装した伝動ケース１７を回動自在に設けている。この伝動ケース１７には、前方下部へ突出する支持板１８の前端部には、左右両側に前方下部へ突出する受板１９ａを固着した取付板１９ｂを装着して設けると共に、この各受板１９ａの前端部には、前方下部へ突出する補助受板１９ｃを固着した構成である。
【００１２】
前記左右両側の引起装置４は、上部を伝動ケース１７から前方へ突出する伝動機構２０ｃを内装する上受杆２０ａで支持すると共に、回転駆動させる構成である。下部を補助受板１９ｃから前方へ突出する下受杆２０ｂで支持させている。前記引起装置４は、根菜搬送装置６前部の左右両側に設け、この引起装置４は、左右両側の引起ケース２１，２１に内装して回転自在な引起チェン２２ａを張設し、この引起チェン２２ａには、所定間隔で引起ラグ２２ｂを前側下端部から前側上端部の間は、該引起ケース２１，２１から突出して、人参（イ）の葉部（ロ）を引起す引起作用部とし、後側は引起しない非作用部とした構成である。
【００１３】
前記引起ケース２１下部外側面には、人参（イ）の葉部を分離する分草体２３を前方へ突出させて設けた構成であると共に、図１で示す如く掘起し高さ、及び畦の凹凸を検出する掘起し高さセンサ２４を一方側の該引起ケース２１に設けている。この掘起し高さセンサ２４は、該引起ケース２１の外側面に回動自在に設けた支持板２５ａに接地プレート２５ｂを装着すると共に、該支持板２５ａの上端部とポテンションメータ２５ｃとを連結する連結ロット２５ｄよりなる構成である。
【００１４】
前記掘起し高さセンサ２４の接地プレート２５ｂが、圃場迄の高さによって回動すると共に、圃場の凹凸を検出して上下回動し、この回動が該ポテンションメータ２５ｃで検出され、この検出が操作装置８の制御装置１０のＣＰＵ１０ａへ、図３で示す如く入力され、この検出の入力により、掘起部上昇ソレノイド２６ｂ、又は掘起部下降ソレノイド２６ｃの作動により、伝動ケース１７の中心位置を上下回動中心２６位置として、上下シリンダ２６ａが作動して、掘起装置５を上下回動制御する構成である。
【００１５】
前記掘起装置５の上下回動制御に伴って、左右両側の引起装置４、及び根菜搬送装置６等も同時に上下回動制御する構成である。
前記掘起装置５は、左右両側の補助受板１９ｃに上下調節可能に設けている。この掘起装置５は前方下部へ傾斜して突出する支持杆２７ａの前端部に、上下方向に所定長さの掘起板２７ｂを装着した構成であり、この左右両側の掘起装置５の掘起板２７ｂで人参（イ）の左右両側を掘起す構成である。
【００１６】
前記車台７の支持板１６の前部には、前支持板１６ａを設け、この前支持板１６ａには、前方へ突出させて支持杆１６ｂを設け、この支持杆１６ｂの前端部には、Ｌ字形状の回動板１６ｃを回動自在に装着して設け、この回動板１６ｃの一方側の下端部と、上下シリンダ２６ａの前端部とを連接させ、他方側の前端部には、支持杆１６ｄの一方側の端部を装着して設け、この支持杆１６ｄの他方側の端部と、受板１９ａの前端の近傍部とを連接させた構成である。
【００１７】
前記上下シリンダ２６ａの作動により、伝動ケース１７の上下回動中心２６位置を回動中心として、回動板１６ｃ、支持杆１６ｄ、受板１９ａ、補助受板１９ｃ、及び後述する連結板２９等を介して、引起装置４、掘起装置５、及び根菜搬送装置６等を自動で上下回動制御する構成である。
前記根菜搬送装置６の移送装置２８は、引起装置４の後部の左右両側に設け、この移送装置２８の上端の移送終端部は、伝動ケース１７後側に連結板２９を介して設けた伝動機構３０ａを内装した伝動ケース３０に前方上部へ傾斜して突出する伝動機構３１ａを内装した支持ケース３１の上側に設けた伝動ケース３２に内装した伝動機構３２ａで支持させると共に、回転駆動する構成である。この伝動ケース３０は該伝動ケース１７の回動によって、該連結板２９を介して同時に上下回動する構成である。
【００１８】
前記移送装置２８は、上・下端部に回転自在に軸支した上・下プーリ２８ｂ，２８ｃに移送ベルト２８ａを掛け渡した構成である。掘起装置５で掘起した人参（イ）の葉部（ロ）は、この移送ベルト２８ａ，２８ａ間で挾持されて上部へ向けて移送する構成であり、この移送途中で首揃移送装置３３へ引継ぎする構成である。
【００１９】
前記根菜搬送装置６の首揃移送装置３３、上伝動装置３８、葉排出移送装置３５、及び第１・第２葉切断装置１１，１２は、人参（イ）を収穫作業状態のときには、圃場面に略平行状態に設けた構成である。
前記首揃移送装置３３は、移送装置２８の後側で移送終端部から所定距離下方に位置させて、左右両側に設けている。この首揃移送装置３３は、伝動ケース３０に上方へ向けて突出して設けた伝動機構３７ａを内装した上支持ケース３７上側に設けた上伝動装置３８の上伝動ケース３８ａの下側に設け、この上伝動ケース３８ａに内装した伝動機構３８ｂで、この首揃移送装置３３の移送終端部を支持すると共に、回転駆動する構成である。
【００２０】
前記首揃移送装置３３は、図４で示す如く左・右両側の支持プレート３９の前端部に回転自在に軸支した前プーリ３９ａを設けると共に、上伝動ケース３８ａの前後方向略中央部の下側には、回転自在に後プーリ３９ｂを軸支して設け、これら前・後プーリ３９ａ，３９ｂ間で該支持プレート３９には、Ｖ字形状の支持板４０の基部を回動自在に設け、この支持板４０の両側の先端部には、テンションローラ４０ａ，４０ａを回転自在に軸支すると共に、この支持板４０の後側には、固定の支持板４０ｃを設け、この支持板４０ｃの先端部には、複数個の該テンションローラ４０ａを回転自在に軸支した構成であり、これら前・後プーリ３９ａ，３９ｂ、及び各テンションプーリ４０ａ，４０ａには、移送ベルト３９ｃを掛け渡した構成である。
【００２１】
前記左右両側の支持プレート３９の前端部に装着する前プーリ３９ａは、この支持プレート３９に設けた調節具３９ｅの操作により、前後移動自在な構成として、移送ベルト３９ｃを伸張可能な構成である。
前記移送ベルト３９ｃ，３９ｃの直線部間は、所定の隙間を設け、これら移送ベルト３９ｃ，３９ｃ間で人参（イ）の葉部（ロ）を挾持して移送する構成であるが、この挾持力は移送装置２８，２８の移送ベルト２８ａ，２８ａの挾持力より弱く構成している。
【００２２】
前記支持板４０には、支持ピン４０ｂ，４０ｂを固着して設け、又、支持プレート３９には、弾性材よりなる略Ｖ字形状のスプリング板３９ｄを設け、このスプリング板３９ｄの一端部は、該支持ピン４０ｂ，４０ｂで支持した構成であり、各テンションローラ４０ａを互に弾発して中立位置へ復元する構成である。
前記各首揃移送装置３３は、各移送装置２８の各移送ベルト２８ａ間に、人参（イ）の葉部（ロ）を挾持して上部へ移送中に、この移送途中で該各首揃移送装置３３の該各移送ベルト３９ｃ間で、人参（イ）の葉部（ロ）を挾持して引継ぎする構成であり、この人参（イ）の葉部（ロ）は両者で挾持され、この各移送ベルト２８ａにより、更に上部へ移送されることにより、これら各移送ベルト３９ｃの下端部位置まで、この人参（イ）の根部の上部が当接するまで上部へ向けて移動され、首揃えが行われる構成である。
【００２３】
前記首揃移送装置３３には、板材よりなる半円形状の首揃具３４を、この首揃移送装置３３の移送ベルト３９ｃ下端縁から、該首揃具３４の半円形状の外周部が下方へ突出する状態に設け、この首揃具３４部を通過する人参（イ）の根部の上端部を一定位置へ下降させる構成である。
これにより、人参（イ）の葉部（ロ）の一定位置を切断することができる。
【００２４】
前記葉排出移送装置３５は、移送装置２８の後側で、上伝動装置３８の所定距離上部に位置させて設け、この葉排出移送装置３５の移送始端部側は、この上伝動装置３８に設けた支持板４１で支持すると共に、移送終端部側は、伝動ケース３０の外側に設けた伝動機構４２ａを内装した横伝動ケース４２で支持させたると共に、この伝動機構４２ａで回転駆動する構成である。
【００２５】
前記葉排出移送装置３５は、前・後両端部に前・後プーリ４３ａ，４３ｂを回転自在に軸支して設けると共に、これら前・後プーリ４３ａ，４３ｂには、移送ベルト４３ｃを掛け渡した構成である。
前記葉排出移送装置３５の移送始端部近傍の下側には、第１葉切断装置１１を左右両側に設け、上伝動ケース３８ａの伝動機構３８ｂにより、この第１葉切断装置１１の回転軸１１ａを回転駆動する構成である。この回転軸１１ａの上端部には、回転刃１１ｂを装着して設け、この回転刃１１ｂにより、首揃移送装置３３で挾持移送される人参（イ）の葉部（ロ）の上下方向の所定位置、つまり葉部（ロ）の上下方向の略中間位置が切断され、この第１回目に切断された第１回切断済みの葉部（ロ）は、該葉排出移送装置３５へ供給され、移送終端部まで移送され、この終端部から該藁排出移送装置３５の下側に設けた第１シュータ４４ａ上へ排出されて流下し、圃場へ落下排出する構成である。
【００２６】
前記首揃移動装置３３の移送終端部近傍で、更に首揃具３４の後方部で、この首揃移送装置３３の下側には、第２葉切断装置１２を左右両側に設け、この第２葉切断装置１２は、上伝動ケース３８ａの伝動機構３８ｂにより、回転軸１２ａを回転駆動する構成である。この回転軸１２ａの下端部には、回転刃１２ｂを装着して設け、この首揃移送装置３３で挾持移送され、この回転刃１２ｂにより、首揃具３４で人参（イ）の根部が首揃えされたこの人参（イ）の葉部（ロ）の根元部の所定位置で、かつ人参（イ）の根部の上側の所定位置を切断する構成である。
【００２７】
前記首揃移送装置３３で挾持移送中の人参（イ）の葉部（ロ）の根元部が、第２葉切断装置１２で切断された、この第２回目に切断された第２回切断済みの葉部（ロ）は、この首揃移送装置３３で移送終端部まで挾持移送され、終端部から該首揃移送装置３３の下側に設けた第２シュータ４４ｂ上へ排出されて流下し、圃場へ落下排出する構成である。
【００２８】
前記第１・第２シュータ４４ａ，４４ｂを設けたことにより、第１・第２移送コンベア１３，１４上へ人参（イ）の葉部（ロ）を切断した切断済み葉部（ロ）が落下することがなくなり、貯留する人参（イ）の根部内へこの切断済み葉部（ロ）の混入を防止できる。
前記車台７の後端縁には、予備の収納箱１５を載置する補助受枠４５を設けた構成である。
【００２９】
前記人参下部切断装置４７は、掘起装置５の後方上部で、移送装置２８の後側に前方下部から上方後部へ向けた傾斜状態に設け、この人参下部切断装置４７は、左右方向に所定間隔で、上下方向に２箇所に山形状を形成した案内杆４８ａを複数個設けると共に、この２箇所の山形状内には、回転外周部に複数個の切断刃４８ｂを装着した各回転具４８ｃを回転自在に上下に所定間隔を設けて軸支している。
【００３０】
前記人参下部切断装置４７は、各移送装置２８の各移送ベルト２８ａ間で挾持されて上部へ移送中の全長の短い人参（イ）の根部の先端部が下側の山形の案内杆４８ａ，４８ａ間に入り、下側の切断刃４８ｂにより、この人参（イ）の根部の先端所定位置を切断する。又、上部へ移送中の全長の長い人参（イ）は、下側の山形の該案内杆４８ａ部は通過し、上側の山形の該案内杆４８ａ，４８ａ間に、この人参（イ）の根部の先端部が入り、この根部の先端所定位置を上側の該切断刃４８ｂによって切断する。人参（イ）の根部の全長により、この根部の先端の所定位置を切断する構成である。
【００３１】
人参下部切断装置４９は、図５、及び図６で示す如く移送装置２８の後側で、掘起装置５の後方上部の左右両側に前方下部から上方後部へ向けて傾斜状態に設け、この人参下部切断装置４９は、所定長さの円筒５０ａの外周部には、例えば、円周方向に４箇所で上下方向３箇所には、ピアノ線材、又は弾性材で変形しない樹脂線、及び、てぐす線等を略半円形状に形成した切断具５０ｂを順次装着して設け、左右両側の切断具５０ｂの高さは、上部を下部より低く構成すると共に、該移送装置２８の下端部と、該各切断具５０ｂの上端部との間隙を順次上部へ向けて狭くした構成である。又、平面視は左右両側の切断具５０ｂ，５０ｂ間の隙間は上部へ向けて広くした構成である。
【００３２】
前記人参下部切断装置４９は、下部から上部へ該移送装置２８で挾持移送する人参（イ）は、下部でこの人参（イ）の根部先端の所定位置が、下側の切断具５０ｂで切断され、上部へ向けて移動に伴い、上部の該各切断具５０ｂにより、人参（イ）の根部の外周部に付着した泥を落す構成である。
前記人参下部切断装置４９の円筒５０ａは、この円筒５０ａの端部に設けギヤー５１ａをモータ５０の軸端部に設けたギヤー５１ｂにより回転駆動する構成である。
【００３３】
これにより、人参（イ）の根部の先端部を切断できると共に、根部に付着した泥を落すことができる。
前記人参下部切断装置４９は、図７で示す如く円筒５０ａは円錐形状に形成し、下部を径大として上部を径小に形成した構成であり、この円筒５０ａの外周部には、切断具５０ｂを円筒方向に４箇所で上部へ向けて順次複数列装着して設け、この左右両側の切断具５０ｂ，５０ｂ間の隙間は、平面視略同じ隙間に構成している。挾持移送中の人参（イ）は、これら各切断具５０ｂにより、複数回に亘って切断すると共に、人参（イ）の根部の外周部に付着した泥を落す構成である。
【００３４】
これにより、人参（イ）の根部の先端部を切断できると共に、根部に付着した泥を落すことができる。
前記人参下部切断装置４９は、図８で示す如く円筒５０ａは円錐形状に形成し、下部を径大として上部を径小に形成した構成であり、この円筒５０ａの外周部には、切断具５０ｂを円筒方向に４箇所で上部へ向けて順次複数列装着して設け、この左右両側の切断具５０ｂ，５０ｂ間の隙間は、平面視下部から上部へ向けて順次広くすべく、該切断具５０ｂを下部から上部へ向けて順次全高を低く構成している。挾持移送中の人参（イ）は、下部の該切断具５０ｂにより、この人参（イ）の根部先端の所定位置が切断され、上部へ向けて移送に伴い、上部の該各切断具５０ｂにより、人参（イ）の根部の外周部に付着した泥を落す構成である。
【００３５】
これにより、人参（イ）の根部の先端部の切断部を切断できると共に、根部に付着する泥を落すことができる。
根菜類収穫機５２は、走行車両２に図９、及び図１０で示す如く前部の左右両側には、引起装置４、及び掘起装置５等を設けると共に、該引起装置４の後側には、移送装置２８を設け、この移送装置２８の後側で移送終端部から所定距離下方に位置させて左右両側には、首揃移送装置５３を設け、この首揃移送装置５３の上側の左右両側には、第１葉移送装置５４、上伝動装置５５、及び第２葉移送装置５６を順次設けた構成である。該首揃移送装置５３の後側の左右両側には、該第１・第２葉移送装置５４，５６で挾持移送する人参（イ）の根部上側の所定位置を切断する葉切断装置５７を設けた構成である。又、人参下部切断装置４７等を設けた構成である。
【００３６】
前記根菜類収穫５２の車台７の後端縁には、予備の収納箱１５を載置する補助受枠５８を設けた構成である。又、この車台７の後側で該補助受枠５８の下側には、第１・第２葉移送装置５４，５６で移送される人参（イ）の葉部（ロ）を切断した切断済み葉部（ロ）の供給を受けて、操縦席９側の横方向へ向けて移送する葉排出移送装置５９を設けている。
【００３７】
前記葉排出移送装置５９は、図１０、及び図１１で示す如く車台７の後端縁には、上下に所定間隔で支持板６０ａ，６０ａを設けている。この支持板６０ａ，６０ａ間に支持枠６０ｂの一端部の挿入部６０ｃを挿入して、支持ピン６０ｄで前後に回動自在に軸支した構成である。この支持枠６０ｂの左右両端部には、プーリ６１ａ，６１ｂを回転自在に軸支して設け、これらプーリ６１ａ，６１ｂには移送ベルト６１ｃを掛け渡した構成であり、このプーリ６１ａを軸支する回転軸６１ｄをモータ６２で回転駆動する構成である。この移送ベルト６１ｃにより、第１・第２葉移送装置５４，５６から排出される切断済み葉部（ロ）を受け、移送して移送終端部から圃場へ排出する構成である。
【００３８】
前記葉排出移送装置５９は、支持ピン６０ｄ部を回動中心として、前後回動させて、切断済み葉部（ロ）を圃場へ排出する排出位置を変更できる構成としている。
これにより、圃場へ排出される切断済み葉部（ロ）が走行クローラ７ａにより、踏み付けられることがなくなり、この葉部（ロ）の回収が容易にできる。
【００３９】
前記第１移送コンベア１３の移送始端部の上部には、図１２、及び図１３で示す如く案内装置６３を設けると共に、下部には、一時貯留する一時貯留装置６４を設けた構成である。
前記案内装置６３は、葉切断装置５７で切断された人参（イ）の根部を受けて、第１移送コンベア１３へ案内して供給する構成である。この案内装置６３は、例えば、丸棒材をく字形状に形成した案内杆６３ａを所定間隔に複数個を案内板６３ｂに固着した構成であり、該案内杆６３ａを固着したこの案内板６３ｂを支持板１６に回動自在に軸支した外側の受板１９ａの内側面へ装着した構成であり、この案内杆６３ａ上を流下中に人参（イ）の根部に付着して泥が除去され、これら案内杆６３ａ，６３ａ間から漏下する構成である。
【００４０】
前記一時貯留装置６４は、案内装置６３から供給される人参（イ）の根部の供給を受け、この人参（イ）の根部を一時貯留しながら、第１移送コンベア１３へ引継ぎして、この第１移送コンベア１３で移送する構成である。走行車両２の車台７上側には、この一時貯留装置６４の支持板６４ａを固着して設け、この支持板６４ａには、該第１移送コンベア１３の移送ベルト１３ａに装置した移送板１３ｂに、所定隙間を設けて円形状から上り傾斜する貯留板６４ｂを装着した構成である。案内装置６３から供給される人参（イ）の根部の供給を受けて、この貯留板６４ｂ上へ一時貯留しながら、該第１移送コンベア１３で引継ぎされ、この第１移送コンベア１３で移送する構成である。
【００４１】
これにより、人参（イ）の根部に付着する泥、及び草等が除去されることにより、後作業工程である洗浄作業等が容易である。
前記根菜類収穫機５２の移送装置２８は、図１４で示す如くこの移送装置２８と略平行状態に下側に設けた伝動軸６５を回動中心として、該移送装置２８を左右方向に回動自在に構成している。又、葉切断装置５７、及び第１葉移送装置５４は、図１４で示す如くこの葉切断装置５７と、略平行状態に設けた伝動軸６６を回動中心として、該葉切断装置５７、及び該第１葉移送装置５４を左右方向に回動自在に構成している。
【００４２】
これにより、前記移送装置２８の移送ベルト２８ａ、及び第１葉移送装置５４の移送ベルト５４ａの交換が容易である。又、葉切断装置５７の切断刃５７ａの交換が容易である。
【図面の簡単な説明】
【図１】根菜類の収穫機の作業状態時の全体側面図
【図２】根菜類収穫機の全体平面図
【図３】ブロック図
【図４】首揃移送装置部の拡大平面図
【図５】他の実施例を示す図で、人参下部切断装置部の拡大側面図
【図６】他の実施例を示す図で、人参下部切断装置部の拡大平面図
【図７】他の実施例を示す図で、人参下部切断装置部の拡大平面図
【図８】他の実施例を示す図で、人参下部切断装置部の拡大平面図
【図９】他の実施例を示す図で、根菜類収穫機の作業状態時の全体側面図
【図１０】他の実施例を示す図で、根菜類収穫機の一部の平面図
【図１１】他の実施例を示す図で、葉排出移送装置部の一部の側面図
【図１２】他の実施例を示す図で、案内装置部及び一時貯留装置部の拡大平面図
【図１３】他の実施例を示す図で、案内装置部及び一時貯留装置部の拡大正面図
【図１４】他の実施例を示す図で、根菜類収穫機の一部の拡大側面斜視図
【符号の説明】
１１    第１葉切断装置
１２    第２葉切断装置
２８    移送装置
３３    首揃移送装置
３５    葉排出移送装置
（イ）  根菜類（人参）
（ロ）  葉部
【図１】
0003882367.tif 000002
【図２】
0003882367.tif 000003
【図３】
0003882367.tif 000004
【図４】
0003882367.tif 000005
【図５】
0003882367.tif 000006
【図６】
0003882367.tif 000007
【図７】
0003882367.tif 000008
【図８】
0003882367.tif 000009
【図９】
0003882367.tif 000010
【図１０】
0003882367.tif 000011
【図１１】
0003882367.tif 000012
【図１２】
0003882367.tif 000013
【図１３】
0003882367.tif 000014
【図１４】
0003882367.tif 000015